(57)【要約】【課題】本発明は、使用者の頭部の傾斜角に基づいて表示スクリーンに表示された画像を自動調整できる表示装置及びその表示方法を提供することを目的とする。【解決手段】本発明に係る表示スクリーンの画像を自動調整できる表示装置は、画像を表示し且つ第一辺を有する表示スクリーンを備える表示装置において、使用者の画像を獲得し、且つ前記第一辺に平行である第二辺を有するイメージセンサを備える画像獲得装置と、前記画像獲得装置が獲得した使用者の画像から左目の画像及び右目の画像を識別し、且つ前記表示スクリーンの第一辺と使用者の実際の両目の連結線との間の角度を計算する計算モジュールと、前記表示スクリーンの第一辺と使用者の実際の両目の連結線との間の角度に基づいて前記表示スクリーンの画像を回転させる画像調整モジュールと、を備える。又、本発明は、表示方法にも関する。【選択図】図１
2011090680.tif 000002
【特許請求の範囲】
【請求項１】
画像を表示し且つ第一辺を有する表示スクリーンを備える表示装置において、
使用者の画像を獲得し、且つ前記第一辺に平行である第二辺を有するイメージセンサを備える画像獲得装置と、
前記画像獲得装置が獲得した使用者の画像から左目の画像及び右目の画像を識別し、且つ前記表示スクリーンの第一辺と使用者の実際の両目の連結線との間の角度を計算する計算モジュールと、
前記表示スクリーンの第一辺と使用者の実際の両目の連結線との間の角度に基づいて前記表示スクリーンの画像を回転させる画像調整モジュールと、
を備えることを特徴とする表示スクリーンの画像を自動調整できる表示装置。
【請求項２】
前記表示スクリーンの第一辺と使用者の実際の両目の連結線との間の角度は、前記左目の画像及び前記右目の画像の連結線と前記イメージセンサの長辺との間の角度に基づいて計算されることを特徴とする請求項１に記載の表示スクリーンの画像を自動調整できる表示装置。
【請求項３】
前記表示スクリーンの第一辺と使用者の実際の両目の連結線との間の角度と、前記左目の画像及び前記右目の画像の連接線と前記イメージセンサの長辺との間の角度と、の関係は、大きさは同じであるが、方向は相反することを特徴とする請求項１に記載の表示スクリーンの画像を自動調整できる表示装置。
【請求項４】
前記画像調整モジュールは、前記表示スクリーンの画像を拡大するか、または縮小することを特徴とする請求項１に記載の表示スクリーンの画像を自動調整できる表示装置。
【請求項５】
画像を表示し且つ第一辺を有する表示スクリーンと、画像獲得装置と、計算モジュールと、画像調整モジュールと、を備える表示装置の画像を自動調整できる表示方法であって、
前記画像獲得装置が使用者の画像を獲得するステップと、
獲得された使用者の画像から使用者の両目の画像を識別するステップと、
前記表示スクリーンの第一辺と使用者の実際の両目の連結線との角度を計算するステップと、
計算された角度に基づいて前記表示スクリーンの画像を回転させることによって前記表示スクリーンの第一辺を使用者の実際の両目の連結線に平行させるステップと、
を備えることを特徴とする表示スクリーンの画像を自動調整できる表示方法。
【発明の詳細な説明】
【技術分野】
【０００１】
本発明は、表示装置に関し、特に表示スクリーンの画像を自動調整できる表示装置及びその表示方法に関するものである。
【背景技術】
【０００２】
従来の技術において、表示装置の表示スクリーン（ｄｉｓｐｌａｙ  ｓｃｒｅｅｎ）の画像は、水平方向又は垂直方向のような固定方向に沿って表示されるため、使用者の頭部が前記表示スクリーンに対して傾斜する場合、閲覧された画像は、傾いている。従って、読むか又は表示画面を閲覧することに不利である。
【発明の概要】
【発明が解決しようとする課題】
【０００３】
以上の問題点に鑑みて、本発明は、使用者の頭部の傾斜角に基づいて表示スクリーンに表示された画像を自動調整できる表示装置及びその表示方法を提供することを目的とする。
【課題を解決するための手段】
【０００４】
前記問題を解決するために、本発明に係る表示スクリーンの画像を自動調整できる表示装置は、画像を表示し且つ第一辺を有する表示スクリーンを備える表示装置において、使用者の画像を獲得し、且つ前記第一辺に平行である第二辺を有するイメージセンサを備える画像獲得装置と、前記画像獲得装置が獲得した使用者の画像から左目の画像及び右目の画像を識別し、且つ前記表示スクリーンの第一辺と使用者の実際の両目の連結線との間の角度を計算する計算モジュールと、前記表示スクリーンの第一辺と使用者の実際の両目の連結線との間の角度に基づいて前記表示スクリーンの画像を回転させる画像調整モジュールと、を備える。
【０００５】
また、本発明に係る表示スクリーンの画像を自動調整できる表示方法は、画像を表示し且つ第一辺を有する表示スクリーンと、画像獲得装置と、計算モジュールと、画像調整モジュールと、を備える。前記画像獲得装置が使用者の画像を獲得するステップと、獲得された使用者の画像から使用者の両目の画像を識別するステップと、前記表示スクリーンの第一辺と使用者の実際の両目の連結線との角度を計算するステップと、計算された角度に基づいて前記表示スクリーンの画像を回転させることによって前記表示スクリーンの第一辺を使用者の実際の両目の連結線に平行させるステップと、を備える。
【発明の効果】
【０００６】
従来の技術に比べて、本発明に係る上述した表示スクリーンの画像を自動調整できる表示装置及びその表示方法は、画像の文字等を使用者の実際の両目の連結線に平行させることによって使用者が前記表示スクリーンの画像を快適に閲覧することができる。
【図面の簡単な説明】
【０００７】
【図１】本発明の実施形態に係る表示装置のブロック図である。
【図２】図１に示した表示装置の画像獲得装置から獲得された使用者の頭部画像を示す図である。
【図３】図１に示した表示装置の表示スクリーンを示す図である。
【図４】図３に示した画像が調整された表示スクリーンを示す図である。
【図５】本発明の実施形態に係る表示方法を示すフローチャートである。
【発明を実施するための形態】
【０００８】
以下、図面に基づいて、本発明に係る表示スクリーンの画像を自動調整できる表示装置及びその表示方法について詳細に説明する。
【０００９】
図１を参照すると、本発明の実施形態に係る表示装置１００は、表示スクリーン１０と、画像獲得装置２０と、計算モジュール３０と、画像調整モジュール４０と、を備える。前記表示装置１００は、デジタルカメラ、ビデオ、ノートパソコン又はテレビ等であることができる。
【００１０】
前記表示スクリーン１０は、液晶ディスプレイ、プラズマディスプレイ（ｐｌａｓｍａ  ｄｉｓｐｌａｙ）又はブラウン管ディスプレイ（ｃａｔｈｏｄｅ−ｒａｙ  ｔｕｂｅ  ｄｉｓｐｌａｙ）等の表示スクリーンであることができる。図３を参照すると、前記表示スクリーン１０は、長方形を呈し、対向して設置される２つの長辺１１及び対向して設置される２つの短辺１２を備える。
【００１１】
前記画像獲得装置２０は、使用者の画像を獲得することに用いられ、且つレンズモジュール２１及び前記レンズモジュールの像側に位置するイメージセンサ２２を備える。前記イメージセンサ２２は、長方形であり、対向して設置される２つの長辺（図示せず）及び対向して設置される２つの短辺（図示せず）を備える。前記イメージセンサ２２の長辺及び短辺は、それぞれ前記表示スクリーン１０の長辺１１及び短辺１２に平行する。
【００１２】
図２は、前記イメージセンサ２２が獲得した画像２００である。前記画像２００は、前記イメージセンサ２２の２つの長辺に対応する２つの長辺２０１と、前記イメージセンサ２２の２つの短辺に対応する２つの短辺２０２と、使用者の頭部画像２０３と、を備える。前記頭部画像２０３は、左目の画像２０３Ｌ及び右目の画像２０３Ｒを備える。前記計算モジュール３０は、前記左目の画像２０３Ｌ及び前記右目の画像２０３Ｒを識別し、且つ前記左目の画像２０３Ｌ及び前記右目の画像２０３Ｒの連結線と前記画像２００の長辺２０１との間の第一角度を計算する。前記イメージセンサ２２の長辺及び短辺は、それぞれ前記表示スクリーン１０の長辺１１及び短辺１２に平行するため、前記第一角度に基づいて前記表示スクリーン１０の長辺１１と使用者の実際の両目の連結線との間の第二角度を計算できる。前記第二角度と前記第一角度との間の関係は、大きさは同じであるが、方向は相反する。
【００１３】
図３及び図４を参照すると、前記画像調整モジュール４０は、前記第二角度に基づいて前記表示スクリーン１０の画像３００を回転することに用いられる。従って、前記画像３００の文字等を使用者の実際の両目の連結線に平行させることによって使用者が前記表示スクリーン１０の画像３００を快適に閲覧することができる。調整された全体の画像３００を表示するために、前記画像調整モジュール４０は前記表示スクリーン１０の画像３００を拡大するか、または縮小することもできる。
【００１４】
図５は、前記表示装置１００の表示スクリーン１０の画像を調整する表示方法を示すフローチャートである。前記表示方法は、前記表示装置１００の中の使用者の画像を獲得するステップと、獲得された使用者の画像から使用者の両目の画像２０３Ｌ、２０３Ｒを識別するステップと、前記表示スクリーン１０の長辺１１と使用者の実際の両目の連結線との間の角度を計算するステップと、計算された角度に基づいて前記表示スクリーン１０の画像３００を回転させることによって前記表示スクリーン１０の長辺１１を使用者の実際の両目の連結線に平行させるステップと、を備える。
【００１５】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは、いうまでもない。
【符号の説明】
【００１６】
１０  表示スクリーン
１１、２０１  長辺
１２、２０２  短辺
２０  画像獲得装置
２１  レンズモジュール
２２  イメージセンサ
３０  計算モジュール
４０  画像調整モジュール
１００  表示装置
２００、３００  画像
２０３  頭部画像
２０３Ｌ  左目の画像
２０３Ｒ  右目の画像
【図１】
2011090680.tif 000003
【図２】
2011090680.tif 000004
【図３】
2011090680.tif 000005
【図４】
2011090680.tif 000006
【図５】
2011090680.tif 000007